(57)【要約】【課題】    屋根材を剥がすときの手間を大幅に削減し、さらには屋根材が割れやすい素材でもこれを細かく割ることなく、屋根材を剥がすことのできる屋根材剥離具を提供すること。【解決手段】  重なった屋根材の間に差し込むことのできる板状の剥離部と、剥離部の中央より後ろよりの部分から上方に延びる把手部からなる屋根材剥離具であって、剥離部は直線状の長辺を有し、剥離部の先から把手部の取付点までの長さが平板スレート屋根材の短辺の長さの１／４以上で、剥離部を長辺方向に屋根材の間に差し込み、長辺を軸として把手部を倒し剥離部を立ち上げて、梃子の作用で屋根材を剥がす、屋根材剥離具。  本発明の屋根材剥離具を使用し、剥離部を手前でなく横に倒すことで、留め付け釘と屋根材を容易に野地板から剥がすことができる。【選択図】図１
2020020205.tif 000002
【特許請求の範囲】
【請求項１】
重なった屋根材の間に差し込むことのできる板状の剥離部と、剥離部の中央より後ろよりの部分から上方に延びる把手部からなる屋根材剥離具であって、剥離部は直線状の長辺を有し、剥離部の先から把手部の取付点までの長さが平板スレート屋根材の短辺の長さの１／４以上で、
剥離部を長辺方向に屋根材の間に差し込み、長辺を軸として把手部を倒し剥離部を立ち上げて、梃子の作用で屋根材を剥がす、屋根材剥離具。
【請求項２】
重なった屋根材の間に差し込むことのできる板状の剥離部と、剥離部の中央より後ろよりの部分から上方に延びる把手部からなる屋根材剥離具であって、剥離部は直線状の長辺を有し、剥離部の先から把手部の取付点までの長さが１０ｃｍ以上で、  
剥離部を長辺方向に屋根材の間に差し込み、長辺を軸として把手部を倒し剥離部を立ち上げて、梃子の作用で屋根材を剥がす、屋根材剥離具。
【請求項３】
剥離部の先が薄く、かつ、先の反対側に蹴りこみ部が設けられた、請求項１又は２の屋根材剥離具。
【請求項４】
重なった屋根材の間に差し込むことのできる板状の剥離部と、剥離部の中央より後ろよりの部分から上方に延びる把手部からなり、剥離部は直線状の長辺を有する、屋根材剥離具を使用して、
剥離部を長辺方向に屋根材の間に差し込み、長辺を軸として把手部を倒し剥離部を立ち上げて、梃子の作用で屋根材を剥がす、屋根材の剥離方法。
【発明の詳細な説明】
【技術分野】
【０００１】
本発明は、屋根材を剥がす際に用いられる道具に関する。さらに詳しくは梃子の作用で屋根材を剥がす道具に関する。
【背景技術】
【０００２】
住宅の上部に覆いとして取り付けられる屋根材は、日差しや風雨から家を守るという重要な役割を担っているが、消耗も大きく、屋根材の一部を剥がして取り替えたり、さらには大規模に葺き替えたりする必要が生じることがある。
【０００３】
屋根材によく用いられるものとして、和瓦、平板スレート屋根材、トタン、ガルバリウム鋼板（登録商標）があるが、特に平板スレート屋根材は安価で軽量なことから広く普及している。平板スレート屋根材は、軒先方向に長さの半分程度重ねて屋根に配置され、それぞれの平板スレート屋根材は、複数の留め付け釘で野地板に固定されている。そのため、葺き替え等のために平板スレート屋根材を剥がすときは留め付け釘を抜くことが必要で、バールで1本1本この留め付け釘を抜いたり、あるいはスレーターズネイルソー（非特許文献１）と呼ばれる平たいのこぎりのような道具を重なった平板スレート屋根材の間から差し込んで留め付け釘を切断したり、さらにはスレーターズリッパー（非特許文献２）と呼ばれる先端に引っ掛け部分がついた道具を重なった平板スレート屋根材の間に差し込み、留め付け釘を引っ掛けて抜いたりしていた。しかし、いずれも大変手間のかかる作業であった。また、バールを使って釘を抜く方法では、力のかかるバールの支点周辺で、屋根材が細かく割れてしまい、特に平板スレート屋根材のときはこれに含まれるアスベストが飛散するという問題点もあった。
【先行技術文献】
【非特許文献】
【０００４】
【非特許文献１】スレーターズネイルソーの写真（金丸産業株式会社ホームページ  ケイミュー取扱商品一覧ページ  http://kanakk.jp/maker/kmew.html）
【非特許文献２】スレーターズリッパーの写真（金丸産業株式会社ホームページ  ケイミュー取扱商品一覧ページ  http://kanakk.jp/maker/kmew.html）
【発明の概要】
【発明が解決しようとする課題】
【０００５】
本発明の目的は、屋根材を剥がすときの手間を大幅に削減し、さらには屋根材が割れやすい平板スレート屋根材であってもこれを細かく割ることなく、屋根材を剥がすことのできる屋根材剥離具を提供することである。
【課題を解決するための手段】
【０００６】
本発明者は、種々検討の結果、梃子の作用を利用しつつ、重なる屋根材の間に差し込んで、バールでこじあけるときのように手前に倒すのでなく、横側に倒す道具とすれば、前記課題を解決できることを見出し、本発明に到達した。すなわち本発明は以下の通りである。
【０００７】
１．重なった屋根材の間に差し込むことのできる板状の剥離部と、剥離部の中央より後ろよりの部分から上方に延びる把手部からなる屋根材剥離具であって、剥離部は直線状の長辺を有し、剥離部の先から把手部の取付点までの長さが平板スレート屋根材の短辺の長さの１／４以上で、
剥離部を長辺方向に屋根材の間に差し込み、長辺を軸として把手部を倒し剥離部を立ち上げて、梃子の作用で屋根材を剥がす、屋根材剥離具。
２．重なった屋根材の間に差し込むことのできる板状の剥離部と、剥離部の中央より後ろよりの部分から上方に延びる把手部からなる屋根材剥離具であって、剥離部は直線状の長辺を有し、剥離部の先から把手部の取付点までの長さが１０ｃｍ以上で、  
剥離部を長辺方向に屋根材の間に差し込み、長辺を軸として把手部を倒し剥離部を立ち上げて、梃子の作用で屋根材を剥がす、屋根材剥離具。
３．剥離部の先が薄く、かつ、先の反対側に蹴りこみ部が設けられた、前記１又は２の屋根材剥離具。
４．重なった屋根材の間に差し込むことのできる板状の剥離部と、剥離部の中央より後ろよりの部分から上方に延びる把手部からなり、剥離部は直線状の長辺を有する、屋根材剥離具を使用して、
剥離部を長辺方向に屋根材の間に差し込み、長辺を軸として把手部を倒し剥離部を立ち上げて、梃子の作用で屋根材を剥がす、屋根材の剥離方法。
【発明の効果】
【０００８】
本発明によれば、剥離部を差し込んで横に倒すだけで、簡単に、留め付け釘とともに屋根材を剥がすことができる。さらに、かかる力が、バールのように支点に集中せずに、軸方向に分散されるので、平板スレート屋根材のような比較的割れやすい素材でも、破片となって割れることはなく、その結果、平板スレート屋根材に含まれるアスベストの飛散を防止することができる。
【図面の簡単な説明】
【０００９】
【図１】本発明の屋根材剥離具を示した。
【図２】本発明の屋根材剥離具で平板スレート屋根材を剥がす様子を示した。
【発明を実施するための形態】
【００１０】
以下に本発明を詳細に説明する。
本発明の屋根材剥離具で剥がす屋根材は、主に、コロニアル、カラーベストの商品名で知られている平板スレート屋根材であるが、和瓦、トタン、ガルバリウム鋼板（登録商標）、波型スレートに対しても使用することができる。
本発明の屋根材剥離具は、剥離部（図１（１））と把手部（２）よりなる。剥離部は板状で、その厚さは重なった屋根材の間に差し込める程度に薄く、例えば２〜５ｍｍとする。さらに、剥離部の先をより薄くして、より差し込みやすくすることもできる。
剥離部の形状は、直線状の長辺を有すればよい。典型的形状は長方形であるが、面取りしたり、先を丸めてもよい。さらに、台形、平行四辺形、楕円を長軸で半分に割った形状などとすることも考えられる。
剥離部の幅は、広すぎると剥離部を立ち上げにくくなり、狭すぎると立ち上げた時に留め付け釘を十分に引き抜くことができなくなるので、釘の長さと同程度の２５〜４０ｍｍであれば好ましい。なお剥離部の幅とは、長辺と垂直方向に最も膨らんだ部分の幅となる。例えば楕円を長軸で半分に割った形状の場合、短軸の半分が幅となる。
把手部は剥離部中央より後ろよりの部分から伸びるが、後ろよりの部分とは長辺方向に中央より後ろの部分である。例えば長方形であれば、長辺の中央から直角に引いた直線より後ろの部分である。
【００１１】
把手部の長さや上方に延びる角度に制限はないが、斜めの屋根で、人にとって操作しやすい長さと角度であることが好ましい。また、梃子が効くように、把手部はある程度長い方が、好ましい。例えば、ひとが少しかがんで力をいれることと、梃子が効くことを考え、長さは５０ｃｍ〜１００ｃｍとしてもよい。
【００１２】
剥離部の、剥離部先端（図１（３））から把手部取付点（４）までの長さ（（３）−（４））は、屋根材の間に差し込むことのできる長さを規定している。ここで、平板スレート屋根材（図２（６））は、勾配方向に短辺を配し、短辺の半分の位置で、留め付け釘（７）により固定されている。この釘を効果的に引き抜くために、剥離部を屋根材の間に差し込んだときに、その先端が釘の近くに到達する（図２）のが好ましい。
すなわち、上部から（図２）あるいは下部から屋根材の間に剥離部を差し込むことを考え、剥離部先端から把手部取付点までの長さは、平板スレート屋根材の短辺の半分の長さ前後あるいはそれ以上であると好ましい。平板スレート屋根材は、台形であることが多いが、底辺×高さ（短辺）は６０ｃｍ×４０ｃｍ、９０ｃｍ×４０ｃｍが規格となっているので、短辺の半分まで差し込むことのできる長さは２０ｃｍである。つまり、２０ｃｍ前後あるいはそれ以上が好ましい。
長さの上限は、特に制限はないが、力をかけたときに剥離部がねじ曲がったり、操作性が極端に落ちない程度に長くしてもよい。
【００１３】
以上より、剥離部の先端から把手部の取付点までの長さは、平板スレート屋根材の短辺の長さの１／４以上が好ましく、１／４〜４／４であればより好ましく、３／８〜５／８であればさらに好ましい。具体的には１０ｃｍ以上が好ましく、１０ｃｍ〜４０ｃｍがより好ましく、１５ｃｍ〜２５ｃｍであればさらに好ましい。
なお、平板スレート屋根材の短辺とは、平板スレート屋根材の形状は長方形が基本になっており、その短辺のことである。角が削られて、台形状に、さらに言えば三角形状になったときは、その高さが短辺に相当する。また平板スレート屋根材の規格が変われば、短辺の長さの１／４が１０ｃｍにならないことも考えられる。
【００１４】
剥離部の先端の反対側に蹴りこみ部（図１（５））を設けて、さらに屋根材の間に差し込みやすいようにしてもよい。蹴りこみ部は、剥離部の先端と反対側に、蹴りこむための平面を設置して作ることができる。手の力で屋根材の間に剥離部を差し込むよりも、蹴りこむことで、より差し込み易くなるとともに、屋根上の作業でバランスを崩す危険性を減らすことができる。
また、持ち運びに便利なように、剥離部と把手部を分離可能とし、使用時に組み立てて使うようにしてもよい。
【００１５】
剥離部の先端から把手部の取付点までの長さが、本発明の屋根材剥離具に規定する長さに満たない場合であっても、剥離部を長辺方向に屋根材の間に差し込み、長辺を軸として把手部を倒し剥離部を立ち上げて、梃子の作用で屋根材を剥がす、屋根材の剥離方法は、本発明の屋根材剥離方法に含まれる。
【００１６】
本発明の屋根材剥離具を使用する際は、長辺を軸にして把手部を倒すので、手前に倒すバールのような使い方ではなく、把手部を留め付け釘（図２（７））近辺まで差し込んで横に倒す使い方になる（図２）。横に倒すからこそ、剥離部を釘の位置まで差し込むことが可能になり、屋根材（６）を効率的に剥がせるようになる。さらに、梃子でいう支点に掛かる力が軸全体に分散されるので、軸の置かれる屋根材は割れにくくなり、屋根材が平板スレート屋根材であれば、細かく割れてアスベストが飛散することを防ぐことができる。また、剥離部の形状が長方形の場合は、２つの長辺を交互に軸として、剥離部を寝かせたり立ち上げたりを繰り返し、屋根材を剥がすこともできる。
【００１７】
本発明の屋根材剥離具は現場で平板スレート屋根材を剥がすときは、例えば次のように使うことができる。
職人が棟付近まで登り、本発明の屋根材剥離具を使って、上から順に平板スレート屋根材を剥がす。まずは、上から１行目と２行目の平板スレート屋根材の間に下側から剥離部を差し込む。これを横に倒して、平板スレート屋根材を野地板から剥がす。さらに、浮き上がった平板スレート屋根材に対して今度は上側から、剥離部を差し込んで横に倒す。こうして下側と上側から本発明の屋根材剥離具を使用して、平板スレート屋根材を剥がすことができる。これを端である１列目から順に行い、１行目を全て剥がし１行目の平板スレート屋根材を撤去した後に、２行目の撤去に移る。
今度は２行目の上側から剥離部を差し込み横に倒し（図２）、続いて、２行目と３行目の間の下側から剥離部を差し込み、倒して、２行目の平板スレート屋根材を剥がす。２行目の平板スレートを全て剥がしたら、さらに、３行目の上側から剥離部を差し込み横に倒し、続いて、３行目と４行目の間の下側から剥離部を差し込み、倒して、３行目の平板スレート屋根材を剥がす。以上を繰り返して、軒先まで平板スレート屋根材を剥がしていく。
【産業上の利用可能性】
【００１８】
本発明の屋根材剥離具を使用すれば、屋根材を剥がす手間を大幅に削減でき、さらに、屋根材が、細かく割れるのを防ぎ、特に屋根材が平板スレート屋根材のときは含まれ得るアスベストの飛散を防止できるので、作業をする職人の、手間の削減と、安全性の向上を図ることができるので、産業上有用である。
【符号の説明】
【００１９】
１．剥離部
２．把手部
３．剥離部の先端
４．把手部の取付点
５．蹴りこみ部
６．屋根材（平板スレート屋根材）
７．留め付け釘
【図１】
2020020205.tif 000003
【図２】
2020020205.tif 000004